(57)【要約】【課題】撮影された画像データを蓄積するためのフレームバッファメモリの容量を小さくし、かつ、安定して画像データを転送する。【解決手段】画像データの所定の領域に含まれるデータを圧縮することにより、圧縮画像データを生成する画像圧縮部１０５と、圧縮画像データを外部に出力する出力インターフェース部１０７と、出力インターフェース部１０７からの圧縮画像データの出力状態を監視する監視部１１１とを備え、画像圧縮部１０５は、出力状態が悪化するにつれて面積が小さくなる所定の領域のデータを圧縮することにより、圧縮画像データを生成する。【選択図】図１
2010232726.tif 000002
【特許請求の範囲】
【請求項１】
画像入力部より入力される時系列の画像データを圧縮する動画撮像装置であって、
前記画像データの所定の領域に含まれるデータを圧縮することにより、圧縮画像データを生成する画像圧縮部と、
前記圧縮画像データを外部に出力する出力インターフェース部と、
前記出力インターフェース部からの前記圧縮画像データの出力状態を監視する監視部と
を備え、
前記画像圧縮部は、前記出力状態が悪化するにつれて面積が小さくなる前記所定の領域に含まれるデータを圧縮することにより、前記圧縮画像データを生成する
動画撮像装置。
【請求項２】
さらに、前記所定の領域を特定するための圧縮領域情報を選択する選択部を備え、
前記監視部は、さらに、前記出力状態を示す出力状態値を算出し、前記出力状態値が、所定の閾値を跨いで、上から下に、または下から上に変化した場合に、前記選択部に対して、前記圧縮領域情報の選択指示を通知し、
前記選択部は、前記選択指示に従って、前記所定の閾値に対応する前記圧縮領域情報を選択し、
前記画像圧縮部は、選択された前記圧縮領域情報に基づいて、前記画像データの前記圧縮領域情報により特定される前記所定の領域に含まれるデータのみを圧縮することにより、前記圧縮画像データを生成する
請求項１記載の動画撮像装置。
【請求項３】
さらに、前記所定の閾値を保持している閾値情報保持部を備える
請求項２記載の動画撮像装置。
【請求項４】
さらに、前記所定の閾値に対応付けられた少なくとも１つの前記圧縮領域情報を保持している圧縮領域情報保持部を備え、
前記選択部は、前記圧縮領域情報保持部に保持されている前記少なくとも１つの前記圧縮領域情報の中から、前記所定の閾値に対応する前記圧縮領域情報を選択する
請求項２記載の動画撮像装置。
【請求項５】
前記出力インターフェース部からの前記圧縮画像データの出力先はネットワークであり、
前記監視部は、前記出力状態として、前記ネットワークの混み具合を監視し、前記出力状態値として、当該混み具合を示す負荷状態値を取得する
請求項２記載の動画撮像装置。
【請求項６】
前記出力インターフェース部からの前記圧縮画像データの出力先は記録媒体であり、
前記監視部は、前記出力状態として、前記記録媒体の空きを監視し、前記出力状態値として、前記記録媒体の空き容量を取得する
請求項２記載の動画撮像装置。
【請求項７】
前記閾値情報保持部は、予め、前記所定の閾値の情報を保持している
請求項３記載の動画撮像装置。
【請求項８】
前記閾値情報保持部は、少なくとも１つ以上の前記所定の閾値を保持している
請求項３記載の動画撮像装置。
【請求項９】
さらに、ユーザから所定の閾値の入力を受け付け、受け付けられた前記所定の閾値を前記閾値情報保持部に設定する閾値情報設定部を備える
請求項３記載の動画撮像装置。
【請求項１０】
前記圧縮領域情報保持部は、予め、前記圧縮領域情報を保持している
請求項４記載の動画撮像装置。
【請求項１１】
さらに、ユーザから前記圧縮領域情報の入力を受け付け、受け付けられた前記圧縮領域情報を前記圧縮領域情報保持部に設定する圧縮領域情報設定部を備える
請求項４記載の動画撮像装置。
【請求項１２】
前記選択部は、前記監視部から前記圧縮領域情報の選択指示を受け取るごとに、前記圧縮領域情報を選択する
請求項２記載の動画撮像装置。
【請求項１３】
さらに、複数の画像入力部より入力される複数の時系列の画像データを合成することにより、合成画像データを作成する画像合成部を備え、
前記画像圧縮部は、前記圧縮領域情報に基づいて、当該圧縮領域情報で特定される前記合成画像データの領域のデータを圧縮することにより、前記圧縮画像データを生成する
請求項４記載の動画撮像装置。
【請求項１４】
前記画像合成部は、前記複数の画像データの各々の配置情報を、前記圧縮領域情報として、前記圧縮領域情報保持部に設定する
請求項１３記載の動画撮像装置。
【請求項１５】
少なくとも１台の動画像カメラと、
請求項１から１４のいずれか１項に記載の動画撮像装置とを備え、
前記画像圧縮部は、前記少なくとも１台の動画像カメラからの画像データを、前記監視部からの前記出力状態値に基づき選択し、選択した前記画像データを圧縮することにより、前記圧縮画像データを生成する
動画像撮影システム。
【請求項１６】
画像入力部より入力される時系列の画像データを圧縮する動画撮像方法であって、
前記画像データの所定の領域に含まれるデータを圧縮することにより、圧縮画像データを生成する画像圧縮ステップと、
前記圧縮画像データを外部に出力する出力ステップと、
前記出力ステップにおける前記圧縮画像データの出力状態を監視する監視ステップと
を含み、
前記画像圧縮ステップでは、前記出力状態が悪化するにつれて面積が小さくなる前記所定の領域に含まれるデータを圧縮することにより、前記圧縮画像データを生成する
動画撮像方法。
【請求項１７】
画像入力部より入力される時系列の画像データを圧縮するコンピュータで実行可能なプログラムであって、
前記画像データの所定の領域に含まれるデータを圧縮することにより、圧縮画像データを生成する画像圧縮ステップと、
前記圧縮画像データを外部に出力する出力ステップと、
前記出力ステップにおける前記圧縮画像データの出力状態を監視する監視ステップと
をコンピュータに実行させ、
前記画像圧縮ステップでは、前記出力状態が悪化するにつれて面積が小さくなる前記所定の領域に含まれるデータを圧縮することにより、前記圧縮画像データを生成する
プログラム。
【発明の詳細な説明】
【技術分野】
【０００１】
本発明は、動画撮像装置における画像データの圧縮制御および伝送制御に関するものである。
【背景技術】
【０００２】
近年、防犯意識がますます高まり、監視カメラ市場が広がりつつある。その中で、リアルタイムにネットワーク経由で画像配信するシステムや、常時記録型の監視システム等が普及しつつある。
【０００３】
リアルタイムにネットワーク経由で画像配信するシステムや、常時記録型の監視システムでは、処理する画像データ量が膨大になる。このため、画像配信のリアルタイム性を保証することや、画像データを長時間記録することは非常に困難である。そこで、リアルタイム性を保証した画像配信の技術および画像データの長時間記録の技術が求められている。
【０００４】
従来の画像撮像に関する技術として、例えば、必要な画像データを送信側で圧縮して転送し、受信側で伸張する画像配信再生システムが提案されている（例えば、特許文献１参照）。
【０００５】
図１３は、特許文献１に記載の画像配信再生システムの構成を示すブロック図である。画像配信再生システムは、サーバ７０２と、クライアント７０３とを備えている。
【０００６】
サーバ７０２では、複数台の画像入力装置７０１で撮影した複数本の動画像データを、画像処理手段７０５で１本の動画像データに合成する。合成後の動画像データの符号列データを画像圧縮手段７０７で作成する。この符号列データの構文を構文解析手段７０９で解析し、符号列作成手段７１０にて、この解析結果に基づいて符号列データから必要なタイルを選択して、当該タイルのデータだけの別の符号列データを作成する。この符号列データを、通信インターフェース７１２を介してクライアント７０３に送信する。
【０００７】
クライアント７０３の通信インターフェース７１３は、サーバ７０２から符号列データを受信する。そして、この受信した符号列データは、復号手段７１５により復号され、復号された動画像データがバッファ７１６でバッファリングされて、表示装置７１７に表示される。
【０００８】
選択手段７１４は、クライアント７０３において、画像圧縮手段７０７で圧縮符号化された符号列データのうち、ユーザが所望のタイルを選択することを可能とし、この選択の内容は通信インターフェース７１３を介してサーバ７０２に送信される。この選択の内容がサーバ７０２の通信インターフェース７１２で受信されると、その選択の内容にしたがってユーザの所望のタイルのみを抽出して新たな符号列データを作成するように、指示手段７１１が符号列作成手段７１０に指示する。
【０００９】
このようにして、複数本の動画像データを１本に合成した動画像データのうち必要な矩形領域の画像データを選択させて、選択された画像データのみを送信する画像配信再生システムを実現している。
【特許文献１】特開２００４−４０３５１号公報
【発明の開示】
【発明が解決しようとする課題】
【００１０】
しかしながら、従来の動画撮像装置においては、ネットワーク回線の混み具合によって、画像データの転送量を調整していないため、仮にネットワーク回線が混み合った場合に、画像データが転送できなくなる。そのため、本来リアルタイムで転送する必要がある画像データが途切れて転送されてしまうという課題がある。
【００１１】
また、もし仮に、ネットワーク回線の混み合った場合においてもリアルタイムで画像データを転送できるようにする場合は、撮影された画像データを蓄積するフレームバッファメモリを膨大に確保する必要があり、コストがかかるという課題がある。
【００１２】
本発明は、上述の課題を解決するためになされたものであり、撮影された画像データを蓄積するためのフレームバッファメモリの容量を小さくし、かつ、安定して画像データを転送することができる動画撮像装置を提供することを目的とする。
【課題を解決するための手段】
【００１３】
上記目的を達成するために、本発明に係る動画撮像装置は、画像入力部より入力される時系列の画像データを圧縮する動画撮像装置であって、前記画像データの所定の領域に含まれるデータを圧縮することにより、圧縮画像データを生成する画像圧縮部と、前記圧縮画像データを外部に出力する出力インターフェース部と、前記出力インターフェース部からの前記圧縮画像データの出力状態を監視する監視部とを備え、前記画像圧縮部は、前記出力状態が悪化するにつれて面積が小さくなる前記所定の領域に含まれるデータを圧縮することにより、前記圧縮画像データを生成する。
【００１４】
具体的には、上述の動画撮像装置は、さらに、前記所定の領域を特定するための圧縮領域情報を選択する選択部を備え、前記監視部は、さらに、前記出力状態を示す出力状態値を算出し、前記出力状態値が、所定の閾値を跨いで、上から下に、または下から上に変化した場合に、前記選択部に対して、前記圧縮領域情報の選択指示を通知し、前記選択部は、前記選択指示に従って、前記所定の閾値に対応する前記圧縮領域情報を選択し、前記画像圧縮部は、選択された前記圧縮領域情報に基づいて、前記画像データの前記圧縮領域情報により特定される前記所定の領域に含まれるデータのみを圧縮することにより、前記圧縮画像データを生成する。
【００１５】
かかる構成により、画像データを圧縮し、外部に圧縮画像データを出力することができ、さらに、外部への圧縮画像データの出力状態に応じて、画像データの圧縮範囲を選択し、画像データを圧縮することができる。このため、画像データ転送中に転送状態が混み合った場合でも、転送状態に応じた領域の画像データを圧縮して転送することが可能となる。よって、転送される画像データ量を適切な量に調整することができる。よって、ネットワーク回線上に安定して圧縮画像データを出力することができる。
【００１６】
また、安定して圧縮画像データが出力されるため、圧縮画像データを蓄積するためのフレームバッファメモリの容量を小さくすることができる。
【００１７】
さらに、圧縮する領域を所定の領域に限定することができるため、圧縮時間を短縮することができる。
【００１８】
好ましくは、上述の動画撮像装置は、さらに、前記所定の閾値を保持している閾値情報保持部を備える。
【００１９】
かかる構成により、出力状態を示す値と閾値とを比較することができ、画像を圧縮するトリガを検出することができる。
【００２０】
さらに好ましくは、上述の動画撮像装置は、さらに、前記所定の閾値に対応付けられた少なくとも１つの前記圧縮領域情報を保持している圧縮領域情報保持部を備え、前記選択部は、前記圧縮領域情報保持部に保持されている前記少なくとも１つの前記圧縮領域情報の中から、前記所定の閾値に対応する前記圧縮領域情報を選択する。
【００２１】
かかる構成により、画像を圧縮する領域に関する情報を取得することができる。
【００２２】
さらに好ましくは、前記出力インターフェース部からの前記圧縮画像データの出力先はネットワークであり、前記監視部は、前記出力状態として、前記ネットワークの混み具合を監視し、前記出力状態値として、当該混み具合を示す負荷状態値を取得する。
【００２３】
かかる構成により、ネットワーク回線へ圧縮画像データを出力している場合において、ネットワーク回線の出力状態を検出することができる。このため、本装置自身が、ネットワーク回線の混み具合を監視して、転送する圧縮画像データのデータ量を自立的に調整するため、ユーザがネットワーク回線の混み具合を監視する手間を省くことができる。
【００２４】
さらに好ましくは、前記出力インターフェース部からの前記圧縮画像データの出力先は記録媒体であり、前記監視部は、前記出力状態として、前記記録媒体の空きを監視し、前記出力状態値として、前記記録媒体の空き容量を取得する。
【００２５】
かかる構成により、記録媒体へ圧縮画像データを書込んでいる場合において、記録媒体の空き容量を検出することができる。このため、圧縮画像データ記録中に転送状態が混み合った場合や、出力先の記憶容量が足りなくなった場合に、転送する圧縮画像データのデータ量を自立的に調整することができる。よって、転送される圧縮画像データの取りこぼしを低減することができる。
【００２６】
さらに好ましくは、前記閾値情報保持部は、予め、前記所定の閾値の情報を保持している。
【００２７】
かかる構成により、出力状態を示す値と閾値とを比較することができ、画像を圧縮するトリガを検出することができる。
【００２８】
さらに好ましくは、前記閾値情報保持部は、少なくとも１つ以上の前記所定の閾値を保持している。
【００２９】
かかる構成により、画像を圧縮するトリガを複数回検出することができるため、画像データのデータ量削減を段階的に実施することができる。
【００３０】
さらに好ましくは、上述の動画撮像装置は、さらに、ユーザから所定の閾値の入力を受け付け、受け付けられた前記所定の閾値を前記閾値情報保持部に設定する閾値情報設定部を備える。
【００３１】
かかる構成により、ユーザが、そのときの状況に応じて画像を圧縮するトリガ条件を変更することができる。
【００３２】
さらに好ましくは、前記圧縮領域情報保持部は、予め、前記圧縮領域情報を保持している。
【００３３】
かかる構成により、画像の圧縮領域の情報を取得することができる。
【００３４】
さらに好ましくは、上述の動画撮像装置は、さらに、ユーザから前記圧縮領域情報の入力を受け付け、受け付けられた前記圧縮領域情報を前記圧縮領域情報保持部に設定する圧縮領域情報設定部を備える。
【００３５】
かかる構成により、ユーザが、そのときの状況に応じて画像の圧縮領域を変更することができる。
【００３６】
さらに好ましくは、前記選択部は、前記監視部から前記圧縮領域情報の選択指示を受け取るごとに、前記圧縮領域情報を選択する。
【００３７】
かかる構成により、選択指示を受け取るごとに、画像の圧縮領域を変更することができるため、画像データのデータ量削減を段階的に実施することができる。
【００３８】
さらに好ましくは、上述の動画撮像装置は、さらに、複数の画像入力部より入力される複数の時系列の画像データを合成することにより、合成画像データを作成する画像合成部を備え、前記画像圧縮部は、前記圧縮領域情報に基づいて、当該圧縮領域情報で特定される前記合成画像データの領域のデータを圧縮することにより、前記圧縮画像データを生成する。
【００３９】
かかる構成により、複数の撮像装置から撮影された画像データを合成することができる。また、外部への圧縮画像データの出力状態を検出して、出力状態に基づいて画像データの圧縮領域を選択し、画像データを圧縮することができ、画像データ量を削減することができる。
【００４０】
さらに好ましくは、前記画像合成部は、前記複数の画像データの各々の配置情報を、前記圧縮領域情報として、前記圧縮領域情報保持部に設定する。
【００４１】
かかる構成により、複数の撮影装置から撮影された画像データのそれぞれのサイズ等を含む配置情報が取得できるため、撮影装置ごとに画像データを削減することができる。
【００４２】
さらに好ましくは、少なくとも１台の動画像カメラと、上述の動画撮像装置とを備え、前記画像圧縮部は、前記少なくとも１台の動画像カメラからの画像データを、前記監視部からの前記出力状態値に基づき選択し、選択した前記画像データを圧縮することにより、前記圧縮画像データを生成する。
【００４３】
かかる構成により、少なくとも１台以上の撮影装置から入力された画像データに対して、画像データを合成および圧縮し、外部への圧縮画像データの出力状態を検出して、出力状態の結果に基づいて画像データの圧縮範囲を選択し、画像データを圧縮することができる。このため、画像データのデータ量を削減することができる。
【００４４】
なお、本発明は、このような特徴的な処理部を備える動画撮像装置として実現することができるだけでなく、動画撮像装置に含まれる特徴的な処理部をステップとする動画撮像方法として実現することができる。また、動画撮像方法に含まれる特徴的なステップをコンピュータに実行させるプログラムとして実現することもできる。そして、そのようなプログラムは、ＣＤ−ＲＯＭ（Ｃｏｍｐａｃｔ  Ｄｉｓｃ−Ｒｅａｄ  Ｏｎｌｙ  Ｍｅｍｏｒｙ）等の記録媒体やインターネット等の通信ネットワークを介して流通させることができるのは言うまでもない。
【発明の効果】
【００４５】
本発明によると、撮影された画像データを蓄積するためのフレームバッファメモリの容量を小さくすることができ、かつ、安定して画像データを転送することができる。
【発明を実施するための最良の形態】
【００４６】
以下、本発明の実施の形態における動画像撮像システムについて図面を参照しながら説明する。
【００４７】
（実施の形態１）
図１は、本発明の実施の形態１における動画像撮像システムの構成を示すブロック図である。実施の形態１における動画像撮像システムは、カメラ等の画像入力デバイスである画像入力部１０１と、画像入力部１０１により入力された画像データを圧縮する動画撮像装置１０２とを含む。
【００４８】
次に、動画撮像装置１０２の構成について説明する。
【００４９】
動画撮像装置１０２は、フレームメモリ１０４と、画像圧縮部１０５と、符号データ蓄積部１０６と、出力インターフェース部１０７と、検出部１０８と、閾値情報保持部１０９と、監視部１１１と、圧縮領域情報保持部１１２と、選択部１１４とを含む。
【００５０】
フレームメモリ１０４は、画像入力部１０１より入力される画像データを記憶する記憶装置であり、例えば、メモリや、ハードディスク装置などである。
【００５１】
画像圧縮部１０５は、選択部１１４に対して必要な画像データの領域を示す、圧縮領域情報取得要求を出力する。画像圧縮部１０５は、選択部１１４より取得した、圧縮領域の情報に基づいて、フレームメモリ１０４に記憶されている画像データのうち、当該圧縮領域に含まれるデータのみを圧縮することにより符号データを作成する。ここで、圧縮領域とは、画像データの圧縮対象となる領域を示す。圧縮領域は、画像データの全部の領域であってもよいし、一部の領域であってもよい。圧縮領域の情報とは、例えば、圧縮領域の四隅の座標、圧縮領域のサイズ等を表す。
【００５２】
符号データ蓄積部１０６は、画像圧縮部１０５によって圧縮された、符号データを記憶する記憶装置であり、例えば、メモリや、ハードディスク装置などである。
【００５３】
出力インターフェース部１０７は、符号データ蓄積部１０６に記憶された符号データを画像撮像装置から外部に出力する。
【００５４】
検出部１０８は、出力インターフェース部１０７から外部に対して出力している符号データの出力状態を検出する。
【００５５】
閾値情報保持部１０９は、閾値情報１１０を保持しており、監視部１１１からの閾値情報取得要求を受け取ると、閾値情報１１０を返す。
【００５６】
閾値情報１１０には、監視部１１１から選択部１１４に対して、画像データを選択するように指示するための判定に用いられる閾値が１つ以上設定されている。
【００５７】
監視部１１１は、検出部１０８に対し、出力状態値取得要求を出力し、出力状態値を取得する。出力状態値の一例として、実施の形態２で説明する符号データの転送速度（負荷状態値）や、実施の形態３で説明する記録媒体の残容量値などがある。前記出力状態値取得要求を出力するタイミングは、定期的でもよいし、不定期でもよい。そして、監視部１１１は、閾値情報保持部１０９から、閾値情報１１０を取得する。監視部１１１は、取得した閾値情報１１０の値および前記出力状態値と、保持されている前回の出力状態値（前回取得した出力状態値）とを比較し、前記出力状態値が閾値情報１１０の示す値より上または下に超えた場合に、選択部１１４に、圧縮領域情報１１３を選択する番号（以下、「選択番号」と記述する。）を通知し、前記出力状態値を、前回の出力状態値として保持しておく。なお、選択番号については後述するが、閾値情報１１０の示す値により異なる。前記出力状態値が閾値情報１１０の示す値より上に超えた場合とは、前回の保持されている出力状態値が、閾値情報１１０の示す値より下であり、且つ、検出部１０８から取得した出力状態値が、閾値情報１１０の示す値より上である場合のことである。また、前記出力状態値が閾値情報１１０の示す値より下に超えた場合とは、前回の保持されている出力状態値が、閾値情報１１０の示す値より上であり、且つ、検出部１０８から取得した出力状態値が、閾値情報１１０の示す値より下である場合のことである。
【００５８】
圧縮領域情報保持部１１２は、圧縮領域情報１１３を保持している。また、圧縮領域情報保持部１１２は、選択部１１４から圧縮領域情報取得要求を受けると、圧縮領域情報１１３を選択部１１４に出力する。
【００５９】
圧縮領域情報１１３には、フレームメモリ１０４に記憶されている画像データのデータ圧縮を行なう領域を特定するための圧縮領域の情報が、１つ以上設定されている。
【００６０】
選択部１１４は、監視部１１１から前記選択番号を受け取ると、圧縮領域情報保持部１１２から、圧縮領域情報１１３を取得する。選択部１１４は、取得した圧縮領域情報１１３から、選択番号に対応付けられた圧縮領域の情報を検索し、保持しておく。そして、選択部１１４は、画像圧縮部１０５から、圧縮領域情報取得要求を受けると、保持している圧縮領域の情報を返す。
【００６１】
次に、動画撮像装置１０２の動作について図２のフローチャートを用いて説明する。
【００６２】
まず、選択部１１４は、圧縮領域情報保持部１１２にアクセスして、圧縮領域情報１１３から初期時に使用する圧縮領域の情報を取得し、保持する（ステップＳ１０１）。ここで、初期時に使用する圧縮領域の情報とは、画像入力部１０１から入力された画像データの全領域を指定する領域でもよいし、特定の領域でもよい。
【００６３】
次に、画像入力部１０１からの入力画像データのフレームメモリ１０４への蓄積が開始される（ステップＳ１０２）。
【００６４】
画像圧縮部１０５は、フレームメモリ１０４に、１フレーム分の画面データが蓄積されるのを待つ（ステップＳ１０３）。１フレーム分の画像データが蓄積されたら（ステップＳ１０３でＹｅｓ）、画像圧縮部１０５は、選択部１１４に対して圧縮領域情報取得要求を発行し、選択部１１４は、保持している圧縮領域の情報を返す（ステップＳ１０４）。
【００６５】
画像圧縮部１０５は、選択部１１４より取得された、圧縮領域の情報に基づいて、フレームメモリ１０４に記憶されている画像データのうち当該圧縮領域のデータのみを圧縮して、符号データを作成し、符号データ蓄積部１０６に蓄積する（ステップＳ１０５）。
【００６６】
１フレーム分の画像圧縮が完了したと判断されたら（ステップＳ１０６でＹｅｓ）、出力インターフェース部１０７は、符号データ蓄積部１０６に蓄積された符号データを画像撮像装置から外部に出力する（ステップＳ１０７）。
【００６７】
次に、検出部１０８は、検出部１０８に対し、監視部１１１からの出力状態値取得要求があるか否かを判断し（ステップＳ１０８）、出力状態値取得要求がないと判断した場合は（ステップＳ１０８でＮｏ）、ステップＳ１０３に戻る。
【００６８】
出力状態値取得要求があると判断した場合は（ステップＳ１０８でＹｅｓ）、検出部１０８は、出力インターフェース部１０７から外部に対して出力している符号データの出力状態を検出する（ステップＳ１０９）。
【００６９】
次に、監視部１１１は、検出部１０８から出力状態値を取得する（ステップＳ１１０）。
【００７０】
監視部１１１は、閾値情報保持部１０９にアクセスし、閾値情報１１０を取得する（ステップＳ１１１）。
【００７１】
監視部１１１は、出力状態値が、閾値より上に超えたか否かを判断する（ステップＳ１１２）。例えば、以下の判定式（１）を満たすような閾値が、閾値情報１１０に設定されている場合は、出力状態値が、閾値より上に超えたと判断する。
【００７２】
前回の出力状態値  ＜  閾値情報１１０の示す値  ＜  出力状態値      …（１）
【００７３】
なお、上記判定式（１）の、閾値情報１１０の示す値と出力状態値が同じ値であり、かつ、前回の出力状態値が閾値情報１１０の示す値よりも小さい場合、または、前回の出力状態値と閾値情報１１０の示す値が同じ値であり、かつ閾値情報１１０の示す値が出力状態値よりも小さい場合に、出力状態値が、閾値より上に超えたと判断してもよい。
【００７４】
出力状態値が、閾値より上に超えていないと判断した場合は（ステップＳ１１２でＮｏ）、監視部１１１は、出力状態値が、閾値より下に超えたかを否かを判断する（ステップＳ１１３）。例えば、以下の判定式（２）を満たすような閾値が、閾値情報１１０に設定されている場合は、出力状態値が、閾値より下に超えたと判断する。
【００７５】
出力状態値  ＜  閾値情報１１０の示す値  ＜  前回の出力状態値      …（２）
【００７６】
なお、上記判定式（２）の、閾値情報１１０の示す値と出力状態値が同じ値であり、かつ閾値情報１１０の示す値が前回の出力状態値よりも小さい場合、または、前回の出力状態値と閾値情報１１０の示す値が同じ値であり、かつ出力状態値が閾値情報１１０の示す値よりも小さい場合に、出力状態値が、閾値より下に超えたと判断してもよい。
【００７７】
出力状態値が、閾値より下に超えていないと判断した場合は（ステップＳ１１３でＮｏ）、ステップＳ１０３に戻る。
【００７８】
出力状態値が、閾値より上に超えたと判断した場合（ステップＳ１１２でＹｅｓ）、または、出力状態値が、閾値より下に超えたと判断した場合は（ステップＳ１１３でＹｅｓ）、監視部１１１は、ステップＳ１１０で検出部１０８から取得した出力状態値を前回の出力状態値として保持する（ステップＳ１１４）。
【００７９】
また、監視部１１１は、選択部１１４に、圧縮領域情報１１３の選択番号を通知する（ステップＳ１１５）。選択番号の一例としては、例えば、閾値情報１１０に、閾値として、１００Ｍｂｐｓ、６０Ｍｂｐｓが設定してあり、これに対応して、選択番号を、出力状態値が６０Ｍｂｐｓ未満の場合は「０」、６０Ｍｂｐｓ以上１００Ｍｂｐｓ未満の場合は「１」、１００Ｍｂｐｓ以上の場合は「２」、と決めておき、さらに、圧縮領域情報１１３には、選択番号が０の場合は「Ａ領域の圧縮領域情報」、１の場合は「Ｂ領域の圧縮領域情報」、２の場合は「Ｃ領域の圧縮領域情報」、と対応づけておくとする。そして、出力状態値が例えば、８０Ｍｂｐｓの場合、６０Ｍｂｐｓ以上１００Ｍｂｐｓ未満となるため、選択番号が１となる。ここでの例では、圧縮領域情報１１３、閾値情報１１０、選択番号を固定で決めておく方法を説明したが、別途対応表などを使って、それぞれの情報を決定してもよい。なお、圧縮領域情報１１３は、出力インターフェース部１０７からの出力状態が悪化するほど（出力状態値が小さくなるほど）、圧縮領域の面積が小さくなるように定められている。例えば、上記の例では、
Ａ領域の面積≦Ｂ領域の面積≦Ｃ領域の面積
なる関係が成り立つように、圧縮領域情報１１３が定められている。
【００８０】
選択部１１４は、圧縮領域情報保持部１１２にアクセスして、圧縮領域情報１１３を取得する（ステップＳ１１６）。
【００８１】
選択部１１４は、監視部１１１から通知された選択番号を使用して、圧縮領域情報１１３から対応する圧縮領域の情報を取得して保持し（ステップＳ１１７）、ステップＳ１０３に戻る。
【００８２】
その後、画像圧縮部１０５は、選択部１１４より取得された、更新された後の圧縮領域の情報に基づいて、フレームメモリ１０４に記憶されている画像データを圧縮して、符号データを作成し、符号データ蓄積部１０６に蓄積する（ステップＳ１０５）。また、１フレーム分の画像圧縮が完了したと判断されたら（ステップＳ１０６でＹｅｓ）、出力インターフェース部１０７は、符号データ蓄積部１０６に蓄積された符号データを画像撮像装置から外部に出力する（ステップＳ１０７）。
【００８３】
これにより、外部への圧縮画像データの出力状態を検知して、出力状態の結果に基づいて画像の圧縮領域の情報を選択し、画像データを圧縮することができ、圧縮される画像データ量および出力される画像データ量を随時適当な量にコントロールできる。特に、出力状態値が小さくなるほど圧縮領域の面積を小さくすることができる。このため、画像データの取りこぼしを低減させることができる。
【００８４】
（実施の形態２）
次に、本発明の実施の形態２における動画像撮像システムについて説明する。
【００８５】
図３は、本発明の実施の形態２における動画像撮像システムの構成を示すブロック図である。実施の形態２の動画像撮影システムは、カメラ等の画像入力デバイスである画像入力部１０１と、画像入力部１０１により入力された画像データを圧縮する動画撮像装置２０２とを含む。実施の形態２では、データの出力先をネットワーク回線２０３に限定している点が実施の形態１と異なる。また、閾値情報保持部１０９に保持されている閾値情報を、後述する閾値情報２１０に限定している点も実施の形態１と異なる。さらに、動画撮像装置２０２は、出力インターフェース部１０７および検出部１０８の代わりに、それぞれ出力インターフェース部２０７および検出部２０８を備えている点が、実施の形態１で説明した動画撮像装置１０２とは異なる。それ以外の動画撮像装置２０２の構成は、実施の形態１で説明した動画撮像装置１０２の構成と同様であり、同様の構成要素には同一の番号を付与し、その説明は繰り返さない。
【００８６】
出力インターフェース部２０７は、符号データ蓄積部１０６に記憶された符号データをネットワーク回線２０３に出力する。
【００８７】
検出部２０８は、ネットワーク回線２０３の混み具合（以下、「負荷」と記述する。）を検出し、監視部１１１からの出力状態値取得要求に応じて、ネットワーク回線２０３上の負荷状態を示す値（以下、「負荷状態値」と記述する。）を返す。ここで記載する、負荷状態値とは、例えば、ｂｐｓ（bits per second）等のデータ転送速度の単位で表される。
【００８８】
また、閾値情報２１０に設定されている閾値は、例えば、ｂｐｓ等のデータ転送速度の単位で表される値となる。
【００８９】
なお、圧縮領域情報１１３は、出力インターフェース部２０７からの出力状態が悪化するほど（負荷状態値が小さくなるほど）、圧縮領域の面積が小さくなるように定められている。
【００９０】
次に、動画撮像装置２０２の動作について図４のフローチャートを用いて説明する。
【００９１】
動画撮像装置２０２は、図２に示した上記実施の形態１のステップＳ１０７からステップＳ１１０にかわって、次に記載するステップＳ２０７からステップＳ２１０を実行する。
【００９２】
その他のステップは、上記実施の形態１と同様であり、同様のステップには同一の番号を付与し、その説明は繰り返さない。
【００９３】
以下、ステップＳ２０７からステップＳ２１０について説明する。
【００９４】
出力インターフェース部２０７は、符号データ蓄積部１０６に蓄積された符号データをネットワーク回線２０３に出力する（ステップＳ２０７）。
【００９５】
次に、検出部２０８は、検出部２０８に対し、監視部１１１からの出力状態値取得要求があるかを判断し（ステップＳ２０８）、出力状態値取得要求がないと判断した場合は（ステップＳ２０８でＮｏ）、ステップＳ１０３に戻る。
【００９６】
出力状態値取得要求があると判断した場合は（ステップＳ２０８でＹｅｓ）、検出部２０８は、ネットワーク回線２０３上の負荷状態値を検出する（ステップＳ２０９）。負荷状態値の検出方法の一例として、例えば、あるサイズのデータを転送するのにかかった時間を測定し、サイズと転送時間とから、単位時間あたりのデータ転送量である負荷状態値を算出する方法などがある。
【００９７】
次に、監視部１１１は、検出部２０８から前記負荷状態値を出力状態値として取得する（ステップＳ２１０）。
【００９８】
これにより、出力先がネットワークであった場合において、ネットワークの負荷状態に応じて、データ圧縮される画像データ量および出力される画像データ量を随時適当な量にコントロールできる。特に、負荷状態値が小さくなるほど圧縮領域の面積を小さくすることができる。よって、ネットワークの回線状態が込み合った場合であっても、データ圧縮される画像データ量および出力される画像データ量を削減することができ、必要な画像データ送信の取りこぼしを低減させることができる。
【００９９】
（実施の形態３）
次に、本発明の実施の形態３における動画像撮像システムについて説明する。
【０１００】
図５は、本発明の実施の形態３における動画像撮影システムの構成を示すブロック図である。実施の形態３の動画像撮影システムは、カメラ等の画像入力デバイスである画像入力部１０１と、画像入力部１０１により入力された画像データを圧縮する動画撮像装置３０２とを含む。実施の形態３では、データの出力先を記録媒体３０３に限定している点が実施の形態１と異なる。また、閾値情報保持部１０９に保持されている閾値情報を、後述する閾値情報３１０に限定している点も実施の形態１と異なる。さらに、動画撮像装置３０２は、出力インターフェース部１０７および検出部１０８の代わりに、それぞれ出力インターフェース部３０７および検出部３０８を備えている点が、実施の形態１で説明した動画撮像装置１０２とは異なる。それ以外の動画撮像装置３０２の構成は、実施の形態１で説明した動画撮像装置１０２の構成と同様であり、同一の構成要素には同一の番号を付与し、その説明は繰り返さない。
【０１０１】
出力インターフェース部３０７は、メモリ上に記憶された符号データを記録媒体３０３に出力する。
【０１０２】
検出部３０８は、出力インターフェース部３０７を介して、記録媒体３０３にアクセスし、記録媒体３０３の残容量のサイズ（以下、「残容量値」と記述する。）を検出し、監視部１１１からの出力状態値取得要求に応じて、記録媒体３０３の現在の残容量値を返す。ここで記載する、残容量値とは、例えば、Ｍｂｙｔｅ等のデータ量の単位で表される。
【０１０３】
また、閾値情報３１０に設定されている閾値は、例えば、Ｍｂｙｔｅ等のデータ量の単位で表される値となる。
【０１０４】
なお、圧縮領域情報１１３は、出力インターフェース部３０７からの出力状態が悪化するほど（残容量値が小さくなるほど）、圧縮領域の面積が小さくなるように定められている。
【０１０５】
次に、動画撮像装置３０２の動作について図６のフローチャートを用いて説明する。
【０１０６】
動画撮像装置３０２は、図２に示した上記実施の形態１のステップＳ１０７からステップＳ１１０にかわって、次に記載するステップＳ３０７からステップＳ３１０を実行する。
【０１０７】
その他のステップは、上記実施の形態１と同様であり、同様のステップには同一の番号を付与し、その説明は繰り返さない。
【０１０８】
以下、ステップＳ３０７からステップＳ３１０について説明する。
【０１０９】
出力インターフェース部３０７は、符号データ蓄積部１０６に蓄積された符号データを記録媒体３０３に出力する（ステップＳ３０７）。
【０１１０】
次に、検出部３０８は、検出部３０８に対し、監視部１１１からの出力状態値取得要求があるかを判断し（ステップＳ３０８）、出力状態値取得要求がないと判断した場合は（ステップＳ３０８でＮｏ）、ステップＳ１０３に戻る。
【０１１１】
出力状態値取得要求があると判断した場合は（ステップＳ３０８でＹｅｓ）、検出部３０８は、記録媒体の残容量値を検出する（ステップＳ３０９）。残容量値の検出方法の一例として、例えば、出力インターフェース部３０７を介して記録媒体３０３にアクセスし、記録媒体３０３の全容量のサイズと記録されているデータ容量のサイズを取得し、記録媒体３０３の全容量のサイズから記録されているデータ容量のサイズを減ずることにより、記録媒体３０３の残容量値を算出する方法などがある。
【０１１２】
次に監視部１１１は、検出部３０８から残容量値を出力状態値として取得する（ステップＳ３１０）。
【０１１３】
これにより、出力先が記録媒体であった場合において、記録媒体の残容量に応じて、データ圧縮される画像データ量および出力される画像データ量を随時適当な量にコントロールできる。特に、残容量値が小さくなるほど圧縮領域の面積を小さくすることができる。よって、記録媒体の残容量が減少してきた場合であっても、データ圧縮される画像データ量および出力される画像データ量を削減することができ、必要な画像データが記憶できなくなることを低減することができる。
【０１１４】
（実施の形態４）
次に、本発明の実施の形態４における動画像撮像システムについて説明する。
【０１１５】
図７は、本発明の実施の形態４における動画像撮像システムの構成を示すブロック図である。実施の形態４における動画像撮像システムは、カメラ等の画像入力デバイスである画像入力部１０１と、画像入力部１０１により入力された画像データを圧縮する動画撮像装置４０２とを含む。実施の形態４における動画撮像装置４０２は、ユーザからの圧縮領域情報の設定を受け取り、圧縮領域情報保持部１１２の圧縮領域情報１１３に前記圧縮領域情報を設定する圧縮領域情報設定部４１５を備えている。
【０１１６】
その他の動画撮像装置４０２の構成は、上記実施の形態１で説明した動画撮像装置１０２の構成と同様であり、同様の構成要素には同一の番号を付与し、その説明は繰り返さない。
【０１１７】
次に、動画撮像装置４０２の動作について図８のフローチャートを用いて説明する。
【０１１８】
まず、圧縮領域情報設定部４１５は、ユーザから圧縮領域情報設定要求があるかを確認する（ステップＳ４０１）。ユーザから圧縮領域情報設定要求がない場合（ステップＳ４０１でＮｏ）、ステップＳ１０１に進む。
【０１１９】
ユーザから圧縮領域情報設定要求がある場合（ステップＳ４０１でＹｅｓ）、圧縮領域情報設定部４１５は、ユーザから設定された圧縮領域情報を取得する（ステップＳ４０２）。
【０１２０】
圧縮領域情報設定部４１５は、取得した圧縮領域情報を、圧縮領域情報保持部１１２に記憶されている圧縮領域情報１１３に設定する（ステップＳ４０３）。
【０１２１】
その他のステップは、上記実施の形態１と同様であり、同様のステップには同一の番号を付与し、その説明は繰り返さない。
【０１２２】
これにより、画像を圧縮する領域を特定するための圧縮領域情報をユーザが任意に設定することができる。
【０１２３】
なお、本実施の形態４では、圧縮領域情報１１３への設定タイミングを初期化時としたが、データ圧縮処理の動作中に設定するようにしてもよい。
【０１２４】
（実施の形態５）
次に、本発明の実施の形態５における動画像撮像システムについて説明する。
【０１２５】
図９は、本発明の実施の形態５における動画像撮像システムの構成を示すブロック図である。本実施の形態５における動画像撮像システムは、カメラ等の画像入力デバイスである画像入力部１０１と、画像入力部１０１により入力された画像データを圧縮する動画撮像装置５０２とを含む。実施の形態５における動画撮像装置５０２は、ユーザからの閾値情報の設定入力を受け取り、閾値情報保持部１０９の閾値情報１１０に、前記閾値情報を設定する閾値情報設定部５１５を備えている。
【０１２６】
その他の動画撮像装置５０２の構成は、上記実施の形態１で説明した動画撮像装置１０２の構成と同様であり、同様の構成要素には同一の番号を付与し、その説明は繰り返さない。
【０１２７】
次に、動画撮像装置５０２の動作について図１０のフローチャートを用いて説明する。
【０１２８】
まず、閾値情報設定部５１５は、ユーザから閾値情報設定要求があるかを監視する（ステップＳ５０１）。ユーザから閾値情報設定要求がない場合（ステップＳ５０１でＮｏ）、ステップＳ１０１に進む。
【０１２９】
ユーザから閾値情報設定要求がある場合（ステップＳ５０１でＹｅｓ）、閾値情報設定部５１５は、ユーザから設定された閾値情報値を取得する（ステップＳ５０２）。
【０１３０】
閾値情報設定部５１５は、取得した閾値情報値を、閾値情報保持部１０９に記憶されている閾値情報１１０に設定する（ステップＳ５０３）。
【０１３１】
その他のステップは、上記実施の形態１と同様であり、同様のステップには同一の番号を付与し、その説明は繰り返さない。
【０１３２】
これにより、画像を圧縮するトリガの判定に使用する閾値をユーザが任意に設定することができる。
【０１３３】
なお、本実施の形態５では、閾値情報１１０の設定タイミングを初期化時としたが、データ圧縮処理の動作中に設定するようにしてもよい。
【０１３４】
（実施の形態６）
次に、本発明の実施の形態６における動画像撮像システムについて説明する。
【０１３５】
図１１は、本発明の実施の形態６における動画像撮影システム構成を示すブロック図である。実施の形態６における動画像撮影システムは、各々がカメラ等の画像入力デバイスからなる複数の画像入力部６０１と、複数の画像入力部６０１により入力された複数の画像データを合成する画像データ合成部６１６と、画像データ合成部６１６で合成した画像データを圧縮する動画撮像装置６０２とを含む。
【０１３６】
画像データ合成部６１６は、複数の画像入力部６０１から入力された複数の画像データを合成し、合成後の画像データをフレームメモリ１０４に蓄積する。また、これに伴い、合成情報を圧縮領域情報設定部６１５に通知する。ここで言う、合成情報とは、各画像入力部６０１において撮影された画像の配置情報（座標、サイズ等）を表す。
【０１３７】
動画撮像装置６０２は、画像データ合成部６１６からの合成情報を取得し、圧縮領域情報保持部１１２に保持されている圧縮領域情報１１３に画像データのデータ圧縮を行なう領域を特定するための圧縮領域の情報を設定する圧縮領域情報設定部６１５を含む。圧縮領域の情報を圧縮領域情報１１３に設定する方法の一例として、例えば、画像データ合成部６１６から入力された合成情報を、取得した順番に、圧縮領域情報１１３に設定してもよいし、画像入力部６０１毎に優先度が設定されている場合は、圧縮領域情報１１３に優先度順に設定してもよい。
【０１３８】
その他の動画撮像装置６０２の構成は、上記実施の形態１と同様であり、同様の構成要素には同一の番号を付与し、その説明は繰り返さない。
【０１３９】
次に、動画撮像装置６０２の動作について図１２のフローチャートを用いて説明する。
【０１４０】
まず、画像データ合成部６１６は、複数の画像入力部６０１から入力された複数の画像データを合成する（ステップＳ６０１）。
【０１４１】
次に、画像データ合成部６１６は、合成後の画像データをフレームメモリ１０４に蓄積し（ステップＳ６０２）、合成情報を圧縮領域情報設定部６１５に通知する（ステップＳ６０３）。
【０１４２】
圧縮領域情報設定部６１５は、画像データ合成部６１６からの合成情報通知が最初の通知であるか否かを判定し（ステップＳ６０４）、最初の通知と判定した場合（ステップＳ６０４でＹｅｓ）、圧縮領域情報設定部６１５は、合成情報を取得する（ステップＳ６０５）。
【０１４３】
次に、圧縮領域情報設定部６１５は、圧縮領域情報保持部１１２の圧縮領域情報１１３に、前記合成情報を圧縮領域の情報として設定する（ステップＳ６０６）。例えば、閾値と予め対応付けられて記憶されている圧縮領域の情報が、選択番号が０の場合には「Ａ領域の圧縮領域情報」、１の場合には「Ｂ領域の圧縮領域情報」、２の場合には「Ｃ領域の圧縮領域情報」であるものとする。また、画像データ合成部６１６から圧縮領域情報設定部６１５に入力された合成情報を、入力された順番に、圧縮領域情報設定部６１５が圧縮領域情報１１３に設定するものとする。このとき、１番目に圧縮領域情報設定部６１５に入力された合成情報（Ｄ領域）と、上記選択番号０に対する「Ａ領域の圧縮領域情報」とが置き換えられる。また、２番目に圧縮領域情報設定部６１５に入力された合成情報（Ｅ領域）と、上記選択番号１に対する「Ｂ領域の圧縮領域情報」とが置き換えられる。さらに、３番目に圧縮領域情報設定部６１５に入力された合成情報（Ｆ領域）と、上記選択番号２に対する「Ｃ領域の圧縮領域情報」とが置き換えられる。この置き換えにより、圧縮領域の情報は、選択番号が、０の場合は「Ｄ領域の圧縮領域情報」、１の場合は「Ｅ領域の圧縮領域情報」、２の場合は「Ｆ領域の圧縮領域情報」となる。なお、置き換えの方法はこれに限定されるものではなく、別途、置き換えの対応表等を使って、対応表に従って置き換えを行うようにしても良い。
【０１４４】
選択部１１４は、圧縮領域情報保持部１１２にアクセスして、圧縮領域情報１１３から初期時に使用する圧縮領域の情報を取得し、保持する（ステップＳ６０７）。ここで、初期時に使用する圧縮領域の情報とは、画像入力部６０１から入力された画像データの全領域を指定する圧縮領域の情報であってもよいし、特定の領域を指定する圧縮領域の情報であってもよい。
【０１４５】
圧縮領域情報設定部６１５が、画像データ合成部６１６からの合成情報通知が２回目以降の通知であると判定した場合（ステップＳ６０４でＮｏ）、または、Ｓ６０７の処理の後、画像圧縮部１０５は、フレームメモリ１０４に、１フレーム分の合成画面データが蓄積されるのを待つ（ステップＳ６０８）。１フレーム分の合成画像データが蓄積されたら（ステップＳ６０８でＹｅｓ）、ステップＳ１０４に進む。
【０１４６】
ステップＳ１０４からステップＳ１０７は、上記実施の形態１と同様であり、同様のステップには同一の番号を付与し、その説明は繰り返さない。
【０１４７】
ステップＳ１０７の処理の後、検出部１０８は、検出部１０８に対し、監視部１１１からの出力状態値取得要求があるかを判断し（ステップＳ６０９）、出力状態値取得要求がないと判断した場合は（ステップＳ６０９でＮｏ）、ステップＳ６０１に戻る。
【０１４８】
出力状態値取得要求があると判断した場合は（ステップＳ６０９でＹｅｓ）、ステップＳ１０９に進む。
【０１４９】
ステップＳ１０９からステップＳ１１２は、上記実施の形態１と同様であり、同様のステップには同一の番号を付与し、その説明は繰り返さない。
【０１５０】
ステップＳ１１１の処理の後、監視部１１１は、出力状態値が、閾値より下に超えたかを判断する（ステップＳ６１０）。例えば、以下の判定式（３）を満たすような閾値が、閾値情報１１０に設定されている場合は、出力状態値が、閾値より下に超えたと判断する。
【０１５１】
出力状態値  ＜  閾値情報１１０の示す値  ＜  前回の出力状態値      …（３）
【０１５２】
なお、上記判定式（３）の、閾値情報１１０の示す値と出力状態値が同じ値であり、かつ閾値情報１１０の示す値が前回の出力状態値よりも小さい場合、または、前回の出力状態値と閾値情報１１０の示す値が同じ値であり、かつ出力状態値が閾値情報１１０の示す値よりも小さい場合に、出力状態値が、閾値より下に超えたと判断してもよい。
【０１５３】
出力状態値が、閾値より下に超えたと判断した場合は（ステップＳ６１０でＹｅｓ）、ステップＳ１１４に進む。
【０１５４】
出力状態値が、閾値より下に超えていないと判断した場合は（ステップＳ６１０でＮｏ）、ステップＳ６０１に戻る。
【０１５５】
ステップＳ１１４からステップＳ１１６は、上記実施の形態１と同様であり、同様のステップには同一の番号を付与し、その説明は繰り返さない。
【０１５６】
ステップＳ１１６の処理の後、選択部１１４は、監視部１１１から通知された選択番号を使用して、圧縮領域情報１１３から対応する圧縮領域の情報を取得して保持し（ステップＳ６１１）、ステップＳ６０１に戻る。
【０１５７】
これにより、複数のカメラ等の画像入力デバイスから入力された複数の画像データの合成および圧縮が行なわれる。また、外部への圧縮画像データの出力状態を検知して、出力状態の結果に基づいて画像の圧縮領域を選択し、画像データを圧縮することができる。このため、圧縮画像データの出力状態に応じて、データ圧縮される画像データ量および出力される画像データ量を随時適当な量にコントロールできる。よって、出力状態が悪化している場合に、画像データ量を削減することができ、画像データの取りこぼしを低減させることができる。
【０１５８】
なお、実施の形態６では、領域情報の設定タイミングを初期化時とし、設定回数を一度のみとしたが、データ圧縮処理の動作中に設定するようにしてもよい。また、複数回設定可能であるとしてもよい。
【０１５９】
以上、本発明の実施の形態における動画像撮像システムについて説明したが、本発明は、この実施の形態に限定されるものではない。
【０１６０】
例えば、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１６１】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１６２】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【０１６３】
また、本発明は、上記に示す方法であるとしても良い。また、これらの方法をコンピュータにより実現するコンピュータプログラムであるとしても良いし、前記コンピュータプログラムからなるデジタル信号であるとしても良い。
【０１６４】
さらに、本発明は、上記コンピュータプログラムまたは上記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの記録媒体に記録されている上記デジタル信号であるとしても良い。
【０１６５】
また、本発明は、上記コンピュータプログラムまたは上記デジタル信号を、電気通信回線、無線または有線通信回線、インターネットを代表とするネットワーク、データ放送等を経由して伝送するものとしても良い。
【０１６６】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１６７】
また、上記プログラムまたは上記デジタル信号を上記記録媒体に記録して移送することにより、または上記プログラムまたは上記デジタル信号を上記ネットワーク等を経由して移送することにより、独立した他のコンピュータシステムにより実施するとしても良い。
【０１６８】
さらに、上記実施の形態をそれぞれ組み合わせるとしても良い。
【０１６９】
今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【産業上の利用可能性】
【０１７０】
以上のように、本発明にかかる動画撮像装置は、画像データ記録中に転送状態が混み合った場合や、出力先の記憶容量が足りなくなった場合に、必要な画像データの取りこぼしを低減することができ、且つ、長時間撮影をすることができるという効果を有し、動画撮像装置等に適用可能である。
【図面の簡単な説明】
【０１７１】
【図１】本発明の実施の形態１における動画撮像システムの構成図
【図２】本発明の実施の形態１における動画撮像装置の動作手順を示すフローチャート
【図３】本発明の実施の形態２における動画撮像システムの構成図
【図４】本発明の実施の形態２における動画撮像装置の動作手順を示すフローチャート
【図５】本発明の実施の形態３における動画撮像システムの構成図
【図６】本発明の実施の形態３における動画撮像装置の動作手順を示すフローチャート
【図７】本発明の実施の形態４における動画撮像システムの構成図
【図８】本発明の実施の形態４における動画撮像装置の動作手順を示すフローチャート
【図９】本発明の実施の形態５における動画撮像システムの構成図
【図１０】本発明の実施の形態５における動画撮像装置の動作手順を示すフローチャート
【図１１】本発明の実施の形態６における動画撮像システムの構成図
【図１２】本発明の実施の形態６における動画撮像装置の動作手順を示すフローチャート
【図１３】従来の画像配信再生システムの構成図
【符号の説明】
【０１７２】
１０１、６０１  画像入力部
１０２、２０２、３０２、４０２、５０２、６０２  動画撮像装置
１０４  フレームメモリ
１０５  画像圧縮部
１０６  符号データ蓄積部
１０７、２０７、３０７  出力インターフェース部
１０８、２０８、３０８  検出部
１０９  閾値情報保持部
１１０、２１０、３１０  閾値情報
１１１  監視部
１１２  圧縮領域情報保持部
１１３  圧縮領域情報
１１４  選択部
２０３  ネットワーク回線
３０３  記録媒体
４１５  圧縮領域情報設定部
５１５  閾値情報設定部
６１５  圧縮領域情報設定部
６１６  画像データ合成部
７０１  画像入力装置
７０２  サーバ
７０３  クライアント
７０４  通信路
７０５  画像処理手段
７０６  フレームバッファ
７０７  画像圧縮手段
７０８  磁気記憶装置
７０９  構文解析手段
７１０  符号列作成手段
７１１  指示手段
７１２、７１３  通信インターフェース
７１４  選択手段
７１５  復号手段
７１６  バッファ
７１７  表示装置
【図１】
2010232726.tif 000003
【図２】
2010232726.tif 000004
【図３】
2010232726.tif 000005
【図４】
2010232726.tif 000006
【図５】
2010232726.tif 000007
【図６】
2010232726.tif 000008
【図７】
2010232726.tif 000009
【図８】
2010232726.tif 000010
【図９】
2010232726.tif 000011
【図１０】
2010232726.tif 000012
【図１１】
2010232726.tif 000013
【図１２】
2010232726.tif 000014
【図１３】
2010232726.tif 000015